(57)【要約】【課題】従来、内部に整流手段を持たないＬＥＤ照明装置は、商用電源で点灯するとちらつきが感じられて照明品位、商品性に欠けるという問題があった。【解決手段】５つのＬＥＤチップでブリッジ結線回路を構成し、全波整流電流が流れるＬＥＤチップ５を挟んで半波整流電流が流れる他の４つのＬＥＤチップを略十字状に対向する位置に、且つ略直角方向に載設されたＬＥＤチップ同士に１８０°（半周期）位相がずれた半波整流電流が流れるように載設している。更に、５つのＬＥＤチップの載設範囲を限定して全てのＬＥＤチップを蛍光体８で封止するようにした。【選択図】図１
2007123609.tif 000002
【特許請求の範囲】
【請求項１】
カソード同士を接続した２つのＬＥＤチップからなる第１ＬＥＤチップ群と、
アノード同士を接続した２つのＬＥＤチップからなる第２ＬＥＤチップ群と、
前記第１ＬＥＤチップ群のカソード側にアノードを、前記第２ＬＥＤチップ群のアノード側にカソードを接続した第３ＬＥＤチップと、
前記第１ＬＥＤチップ群の夫々のアノードと前記第２ＬＥＤチップ群の夫々のカソードとが１対１に接続された一対の接点と、
を有するブリッジ結線回路で構成されたＬＥＤ照明装置であって、前記第３ＬＥＤチップの活性層の面積は前記第１ＬＥＤチップ群および前記第２ＬＥＤチップ群を構成する夫々のＬＥＤチップの活性層の面積に対して略１．５〜３倍の大きさであることが好ましく、略２．０〜２．５倍の大きさであることがより好ましいこと特徴とするＬＥＤ照明装置。
【請求項２】
カソード同士を接続した２つのＬＥＤチップからなる第１ＬＥＤチップ群と、
アノード同士を接続した２つのＬＥＤチップからなる第２ＬＥＤチップ群と、
前記第１ＬＥＤチップ群のカソード側にアノードを、前記第２ＬＥＤチップ群のアノード側にカソードを接続した第３ＬＥＤチップと、
前記第１ＬＥＤチップ群の夫々のアノードと前記第２ＬＥＤチップ群の夫々のカソードとが１対１に接続された一対の接点と、
を有するブリッジ結線回路で構成されたＬＥＤ照明装置であって、前記第３ＬＥＤチップの定格電流値は前記第１ＬＥＤチップ群および前記第２ＬＥＤチップ群を構成する夫々のＬＥＤチップの定格電流値に対して略２倍であることを特徴とするＬＥＤ照明装置。
【請求項３】
前記第１ＬＥＤチップ群を構成する２つのＬＥＤチップおよび前記第２ＬＥＤチップ群を構成する２つのＬＥＤチップは夫々前記第３ＬＥＤチップを挟んで略十字状に対向する位置に載設されていることを特徴とする請求項１または２のいずれか１項に記載のＬＥＤ照明装置。
【請求項４】
前記第１ＬＥＤチップ群および前記第２ＬＥＤチップ群を構成する夫々のＬＥＤチップ、および前記第３ＬＥＤチップを覆うように少なくとも１種の蛍光体が塗布されていることを特徴とする請求項１〜３のいずれか１項に記載のＬＥＤ照明装置。
【請求項５】
前記第１ＬＥＤチップ群および前記第２ＬＥＤチップ群を構成する夫々のＬＥＤチップは、前記第３ＬＥＤチップの夫々の側面に対して前記第１ＬＥＤチップ群および前記第２ＬＥＤチップ群を構成する夫々のＬＥＤチップの側辺が対向するように載設されていることを特徴とする請求項１〜３のいずれか１項に記載のＬＥＤ照明装置。
【請求項６】
前記第１ＬＥＤチップ群および前記第２ＬＥＤチップ群を構成する夫々のＬＥＤチップの載設面に対して前記第３ＬＥＤチップの載設面の高さが異なっていることを特徴とする請求項１〜３のいずれか１項に記載のＬＥＤ照明装置。
【請求項７】
前記第１ＬＥＤチップ群および前記第２ＬＥＤチップ群を構成する夫々のＬＥＤチップ、および前記第３ＬＥＤチップが載設される範囲は、直径略８ｍｍの円内であることを特徴とする請求項１〜６のいずれか１項に記載のＬＥＤ照明装置。
【発明の詳細な説明】
【技術分野】
【０００１】
本発明はＬＥＤ照明装置に関するものであり、詳しくは商用電源で直接点灯するＬＥＤ照明装置に関する。
【背景技術】
【０００２】
従来、ＬＥＤ照明装置の点灯方法には、（１）乾電池やバッテリーなどの直流電源からの直流電圧を直接印加することによって点灯させる方法、（２）商用電源のような交流電源からの交流電圧が定電圧電源によって変換された直流電圧を印加することによって点灯させる方法、（３）商用電源のような交流電源からの交流電圧を定電圧電源を介さないで交流電圧のままで印加することによって点灯させる方法などがある。
【０００３】
そのなかで、（３）のように交流電圧をソース電圧として定電圧電源を介さないで交流電圧のままでＬＥＤ照明装置を点灯する場合、一般的には図８〜図１０に示すような回路構成が採用されている。それは図８の回路図で示すように、複数のＬＥＤをシリーズ接続して電流制限抵抗を結線し、その両端に商用電源による交流入力電圧を変圧器によって適正な電圧に降圧した後に整流器を介して全波整流して得られた脈流を印加することによってＬＥＤを点灯させるもの、図９の回路図で示すように、２つのＬＥＤをアンチパラレル接続して無極性化したものをＬＥＤ群とし、複数のＬＥＤ群をシリーズ接続して電流制限抵抗を結線し、その両端に商用電源による交流入力電圧を変圧器によって適正な電圧に降圧した交流電圧を印加することによってＬＥＤを点灯させるもの、図１０の回路図で示すように、ＬＥＤをブリッジ結線して無極性化したものをＬＥＤ群とし、複数のＬＥＤ群をシリーズ接続して電流制限抵抗を結線し、その両端に商用電源による交流入力電圧を変圧器によって適正な電圧に降圧した交流電圧を印加することによってＬＥＤを点灯させるもの（例えば、特許文献１及び２参照。）などである。
【０００４】
上記、図９及び図１０の回路構成は基本的には同様の考え方に基づくものであるが、図９の回路構成においては、アンチパラレル接続のＬＥＤ群の一方のＬＥＤに印加される逆方向電圧を他方のＬＥＤの順方向電圧でクランプすることによって逆方向電圧によるＬＥＤの破壊を防止するようになっており、電気回路上に整流器を設ける必要はない。
【０００５】
更に、図９の回路構成においては、すべてのＬＥＤが半波整流電圧によって点灯されるのに対し、図１０の回路構成においては、ブリッジ結線回路の中央の負荷となるＬＥＤ５のみが全波整流電圧によって点灯され、他の４つのＬＥＤ１〜ＬＥＤ４が半波整流電圧によって点灯される。また、４つのＬＥＤ１〜ＬＥＤ４の夫々にはＬＥＤ約２つ分の順方向電圧に相当する電圧が逆方向電圧として印加されることになる。
【０００６】
図１０の回路構成のＬＥＤ照明装置は、具体的には全ＬＥＤを赤色ＬＥＤで構成した防災ランプなどの異常警報灯に採用されている。
【特許文献１】実開昭５８−１５８４５８号公報
【特許文献２】特開平５−２９４２号公報
【発明の開示】
【発明が解決しようとする課題】
【０００７】
ところで、図８の回路構成でＬＥＤ照明装置を作製しようとすると、照明装置内に全波整流用の整流器を設けるために部品点数が増加し、照明装置が大型化すると共に製造コストを上昇させることになる。
【０００８】
一方、図９及び図１０の回路構成でＬＥＤ照明装置を作製しようとすると、整流器を設ける必要はないが、商用電源の半波整流電圧で点灯されるＬＥＤは光量リップルの周波数が低いために人間の目にちらつき感を与え、照明装置としての照明品位、商品性に欠けるという問題がある。
【０００９】
これは、人間の目の視覚特性における臨界融合周波数（一定の周波数でステップ状に光る光を見たときにちらつきが感じられなくなる限界の周波数）がおおよそ２０Ｈｚと言われており、商用周波数（東日本は５０Ｈｚ、西日本は６０Ｈｚ））の半波整流電圧で点灯させたＬＥＤの光にはまだ明るさの変化に対する視覚の追従性があることと、臨界融合周波数が平均輝度のほぼ対数に比例すると言われていることから、輝度の高い点光源であるＬＥＤにあっては臨界融合周波数が高くなる傾向にあり、複数のＬＥＤが平面的に載設されたＬＥＤ照明装置においては、ちらつきの感覚の低下を成立させる時間的条件が短縮されるために面輝度分布変動を感じやすいものとなるからである。
【００１０】
そこで、本発明は上記問題に鑑みて創案なされたもので、その目的とするところは、商用電源を直接印加することによって点灯させる、複数のＬＥＤで構成したＬＥＤ照明装置において、内部に整流手段を設けることなくちらつき感及び面輝度分布変動感を低減し、照明品位、商品性に優れたＬＥＤ照明装置を提供することにある。
【課題を解決するための手段】
【００１１】
上記課題を解決するために、本発明の請求項１に記載された発明は、カソード同士を接続した２つのＬＥＤチップからなる第１ＬＥＤチップ群と、
アノード同士を接続した２つのＬＥＤチップからなる第２ＬＥＤチップ群と、
前記第１ＬＥＤチップ群のカソード側にアノードを、前記第２ＬＥＤチップ群のアノード側にカソードを接続した第３ＬＥＤチップと、
前記第１ＬＥＤチップ群の夫々のアノードと前記第２ＬＥＤチップ群の夫々のカソードとが１対１に接続された一対の接点と、
を有するブリッジ結線回路で構成されたＬＥＤ照明装置であって、前記第３ＬＥＤチップの活性層の面積は前記第１ＬＥＤチップ群および前記第２ＬＥＤチップ群を構成する夫々のＬＥＤチップの活性層の面積に対して略１．５〜３倍の大きさであることが好ましく、略２．０〜２．５倍の大きさであることがより好ましいこと特徴とするものである。
【００１２】
また、本発明の請求項２に記載された発明は、カソード同士を接続した２つのＬＥＤチップからなる第１ＬＥＤチップ群と、
アノード同士を接続した２つのＬＥＤチップからなる第２ＬＥＤチップ群と、
前記第１ＬＥＤチップ群のカソード側にアノードを、前記第２ＬＥＤチップ群のアノード側にカソードを接続した第３ＬＥＤチップと、
前記第１ＬＥＤチップ群の夫々のアノードと前記第２ＬＥＤチップ群の夫々のカソードとが１対１に接続された一対の接点と、
を有するブリッジ結線回路で構成されたＬＥＤ照明装置であって、前記第３ＬＥＤチップの定格電流値は前記第１ＬＥＤチップ群および前記第２ＬＥＤチップ群を構成する夫々のＬＥＤチップの定格電流値に対して略２倍であることを特徴とするものである。
【００１３】
また、本発明の請求項３に記載された発明は、請求項１または２のいずれか１項において、前記第１ＬＥＤチップ群を構成する２つのＬＥＤチップおよび前記第２ＬＥＤチップ群を構成する２つのＬＥＤチップは夫々前記第３ＬＥＤチップを挟んで略十字状に対向する位置に載設されていることを特徴とするものである。
【００１４】
また、本発明の請求項４に記載された発明は、請求項１〜３のいずれか１項において、前記第１ＬＥＤチップ群および前記第２ＬＥＤチップ群を構成する夫々のＬＥＤチップ、および前記第３ＬＥＤチップを覆うように少なくとも１種の蛍光体が塗布されていることを特徴とするものである。
【００１５】
また、本発明の請求項５に記載された発明は、請求項１〜３のいずれか１項において、前記第１ＬＥＤチップ群および前記第２ＬＥＤチップ群を構成する夫々のＬＥＤチップは、前記第３ＬＥＤチップの夫々の側面に対して前記第１ＬＥＤチップ群および前記第２ＬＥＤチップ群を構成する夫々のＬＥＤチップの側辺が対向するように載設されていることを特徴とするものである。
【００１６】
また、本発明の請求項６に記載された発明は、請求項１〜３のいずれか１項において、前記第１ＬＥＤチップ群および前記第２ＬＥＤチップ群を構成する夫々のＬＥＤチップの載設面に対して前記第３ＬＥＤチップの載設面の高さが異なっていることを特徴とするものである。
【００１７】
また、本発明の請求項７に記載された発明は、請求項１〜６のいずれか１項において、前記第１ＬＥＤチップ群および前記第２ＬＥＤチップ群を構成する夫々のＬＥＤチップ、および前記第３ＬＥＤチップが載設される範囲は、直径略８ｍｍの円内であることを特徴とするものである。
【発明の効果】
【００１８】
商用電源を印加することによって点灯させる本発明のＬＥＤ照明装置は、５つのＬＥＤチップをブリッヂ結線回路構成で無電極化すると共に、全波整流電流が流れる１つのＬＥＤチップを挟んで同相の半波整流電流が流れるＬＥＤチップ同士を略十字状に対向させ、且つ略直角方向に載設されたＬＥＤチップ同士に１８０°（半周期）位相がずれた半波整流電流が流れるように載設した。更に、５つのＬＥＤチップの載設範囲を限定し、全てのＬＥＤチップを蛍光体で封止するようにした。
【００１９】
そのため、内部に整流手段を有しないにも係わらず商用電源で直接点灯することが可能であり、しかも点灯時に商用周波数による点灯ちらつき感を軽減すると共に面輝度分布変動感を低減することによって、照明品位、商品性に優れたＬＥＤ照明装置の実現を可能にすることができた。
【発明を実施するための最良の形態】
【００２０】
商用電源で直接点灯するＬＥＤ照明装置において、ちらつき感を軽減して照明品位、商品性を高める目的を、ＬＥＤチップの回路構成および載設方法を最適化することによって実現した。
【００２１】
以下、この発明の好適な実施形態を図１から図７を参照しながら、詳細に説明する（同一部分については同じ符号を付す）。尚、以下に述べる実施形態は、本発明の好適な具体例であるから、技術的に好ましい種々の限定が付されているが、本発明の範囲は、以下の説明において特に本発明を限定する旨の記載がない限り、これらの実施形態に限られるものではない。
【実施例１】
【００２２】
図１は本発明のＬＥＤ照明装置に係わる実施例１の平面図、図２は図１のＡ−Ａ断面図、図３は回路図、図４は電流波形図である。
【００２３】
本発明のＬＥＤ照明装置１の光源部はＬＥＤチップ１〜ＬＥＤチップ５の５つのＬＥＤチップで構成され、全てのＬＥＤチップは上側にアノード電極、下側にカソード電極が形成されている。ＬＥＤチップを実装するパッケージ２は金属ステムあるいはセラミックキャリアが使用され、略円形状の内底面３と該内底面３の縁部から内底面３に略垂直に立ち上がる側壁４とを有し、パッケージ２の下方には該パッケージ２の内底面３から外部に導出されたリード５ａ、５ｂが設けられている。
【００２４】
パッケージの内底面には４つの部分に分離された導体パターン６ａ、６ｂ、６ｃ、６ｄが形成されており、そのうちの２つの導体パターン６ａ、６ｂは夫々リード５ａ、５ｂに接続されて電気的に導通している。
【００２５】
また、内底面３の中央部には導体パターン６ｄ上にＬＥＤチップ５が載設され、ＬＥＤチップ５を挟んで対向する位置には導体パターン６ｃ及び導体パターン６ａ上に夫々ＬＥＤチップ１及びＬＥＤチップ３が載設され、同様に前記ＬＥＤチップ１とＬＥＤチップ３を結ぶ線に略直角な方向のＬＥＤチップ５を挟んで対向する位置には導体パターン６ｃ及び導体パターン６ｂ上に夫々ＬＥＤチップ２及びＬＥＤチップ４が載設されている。これにより、夫々のＬＥＤチップの下側電極と該ＬＥＤチップが載設された導体パターンとが電気的に導通している。
【００２６】
ＬＥＤチップ１の上側電極は導体パターン６ｂに、ＬＥＤチップ２の上側電極は導体パターン６ａに、ＬＥＤチップ３及びＬＥＤチップ４の上側電極は導体パターン６ｄに、ＬＥＤチップ５の上側電極は導体パターン６ｃに、夫々ボンディングワイヤ７を介して接続されている。これにより、夫々のＬＥＤチップの上側電極とボンディングワイヤを介して接続された導体パターンとが電気的に導通している。
【００２７】
また、ＬＥＤチップ１〜ＬＥＤチップ５は、ＬＥＤチップ１〜ＬＥＤチップ４の夫々の側面とＬＥＤチップ５の側面とが略平行になるように対向している。
【００２８】
この場合、ＬＥＤチップ１〜ＬＥＤチップ４は全て高さ及び主光出射面の面積（活性層の面積に相当する）がほぼ同等であるが、ＬＥＤチップ５はＬＥＤチップ１〜ＬＥＤチップ４に対して高さはほぼ同等で、主光出射面の面積が約１．５〜３倍であることが望ましい。
【００２９】
これは、ＬＥＤチップ５の素子構造、すなわち電流拡散層厚、層抵抗、パターンテクスチャーリング及び熱拡散構造などに差異があるため、ジャンクション温度や発光の微分効率などのパラメータを指標にしながら選定される。もしもＬＥＤチップ５の素子構造がＬＥＤチップ１〜ＬＥＤチップ４と同等であれば、主光出射面の面積は約２．０〜２．５倍であることがより望ましい。
【００３０】
更に、ＬＥＤチップ１〜ＬＥＤチップ５及びボンディングワイヤを覆うように少なくとも１種の蛍光体８が塗布され、その上に透光性樹脂９が充填されている。
【００３１】
蛍光体の働きは、ＬＥＤチップの上に蛍光体を塗布することによって、ＬＥＤチップから出射された光で蛍光体を励起して波長変換し、ＬＥＤチップの発光光とは異なる色調の光を得ることができるものである。例えば、ＬＥＤチップから出射される光が青色光の場合、青色光に励起されて青色の補色となる黄色光に波長変換する蛍光体を用いることにより、ＬＥＤチップから出射された青色光の一部が蛍光体を励起することによって波長変換された黄色光と、ＬＥＤチップから出射された青色光との加法混色によって白色光を作り出すことができる。
【００３２】
同様に、ＬＥＤチップから出射される光が青色光の場合、青色光に励起されて緑色光及び赤色光にそれぞれ波長変換する２種類の蛍光体を混合したものを用いることにより、ＬＥＤチップから出射された青色光の一部が蛍光体を励起することによって波長変換された緑色光及び赤色光と、ＬＥＤチップから出射された青色光との加法混色によって白色光を作り出すこともできる。
【００３３】
また、ＬＥＤチップから出射される光が紫外光の場合、紫外光に励起されて青色光、緑色光及び赤色光にそれぞれ波長変換する３種類の蛍光体を混合したものを用いることにより、ＬＥＤチップから出射された紫外光が蛍光体を励起することによって波長変換された青色光、緑色光及び赤色光の加法混色によって白色光を作り出すこともできる。更に、ＬＥＤチップから出射される光の波長と蛍光体の種類とを適宜に組み合わせることによって白色光以外の種々な色調の光を得ることができる。
【００３４】
ＬＥＤチップ１〜ＬＥＤチップ５の電気的接続を回路図で示すと図３にようになる。ＬＥＤチップ１のカソード、ＬＥＤチップ２のカソード及びＬＥＤチップ５のアノードが接続され、ＬＥＤチップ３のアノード、ＬＥＤチップ４のアノード及びＬＥＤチップ５のカソードが接続されている。そして、ＬＥＤチップ１のアノードとＬＥＤチップ４のカソードとが接続されて入出力端ａを構成し、ＬＥＤチップ２のアノードとＬＥＤチップ３のカソードとが接続されて入出力端ｂを構成している。
【００３５】
この結線方法はブリッジ結線と称され、商用電源のような交流電源が入出力端ａと入出力端ｂとの間に印加されると、入出力端ｂに対して入出力端ａの電圧が高いときは電流は入出力端ａ〜ＬＥＤチップ１〜ＬＥＤチップ５〜ＬＥＤチップ３〜入出力端ｂの経路を順次流れ、入出力端ａに対して入出力端ｂの電圧が高いときは電流は入出力端ｂ〜ＬＥＤチップ２〜ＬＥＤチップ５〜ＬＥＤチップ４〜入出力端ａの経路を順次流れる。
【００３６】
このとき、夫々のＬＥＤチップを流れる電流の波形は図４に示すようになる。ＬＥＤチップ１〜ＬＥＤチップ４には半波整流電流が流れ、ＬＥＤチップ５には全波整流電流が流れる。またＬＥＤチップ１〜ＬＥＤチップ４は、全波整流電流が流れるＬＥＤチップ５を挟んで略十字状に対向する位置に載設され、ＬＥＤチップ５を挟んで対向するＬＥＤチップ１とＬＥＤチップ３、ＬＥＤチップ２とＬＥＤチップ４は夫々同相の半波整流電流が流れ、且つ略直角方向に載設されたＬＥＤチップ同士（ＬＥＤチップ１、ＬＥＤチップ３とＬＥＤチップ２、ＬＥＤチップ４）は１８０°（半周期）位相がずれた半波整流電流が流れるようになっている。従って、ＬＥＤチップ１、ＬＥＤチップ３とＬＥＤチップ２、ＬＥＤチップ４の点灯タイミングも半周期ずれることになる。
【００３７】
このような構成のブリッジ結線回路に商用電源を印加したときに、ＬＥＤチップ１〜ＬＥＤチップ４に流れる半波整流電流に対してＬＥＤチップ５に流れる電流は全波整流電流である。そのため夫々のＬＥＤチップに流れる平均電流はＬＥＤチップ１〜ＬＥＤチップ４に対してＬＥＤチップ５は約２倍となる。そこで、ＬＥＤチップ１〜ＬＥＤチップ５の主光出射面（活性層）の面積がほぼ同等の場合、流すことのできる電流はＬＥＤチップ５の定格電流で規定され、そのときのＬＥＤチップ1〜ＬＥＤチップ４は定格電流の約半分の電流しか流れないことになり、発光性能を有効に発揮することができない状態となる。
【００３８】
これに対し、本発明のＬＥＤ照明装置は、ＬＥＤチップ１〜ＬＥＤチップ４の電流定格に対してＬＥＤチップ５の電流定格をほぼ２倍にすることによってＬＥＤチップ１〜ＬＥＤチップ５のすべてのＬＥＤチップの電流定格を有効に活用するようにしている。そのためには、ＬＥＤチップ１〜ＬＥＤチップ４に対してＬＥＤチップ５の主光出射面の面積を約１．５〜３．０倍とすることが望ましい。更に、ＬＥＤチップ５の素子構造がＬＥＤチップ１〜ＬＥＤチップ４と同等であるという条件下においては約２．０〜２．５倍とすることがより望ましい。
【００３９】
更に、全波整流電流で駆動されるＬＥＤチップ５の光出射面（活性層）の面積を大きくすることによってＬＥＤ照明装置から出射される光量のうち全波整流電流で駆動されるＬＥＤチップ５から出射される光の割合を高めているため、照明装置から出射される光のちらつきが低減すると共に、面輝度分布変動も低減することができる。特に、蛍光体を介して外部に出射される光は、ＬＥＤチップから出射される光のちらつきによる時間的色調変化が顕著に表れる。従って、ＬＥＤチップの載設方法、光出射面の大きさを最適化することによって商用電源による点灯で生じるちらつき感を減少することによって、安定した色調の光を得ることができる。
【実施例２】
【００４０】
図５は本発明のＬＥＤ照明装置に係わる実施例２の平面図、図６は図５のＡ−Ａ断面図である。本実施例はＬＥＤチップ１〜ＬＥＤ４とＬＥＤチップ５との載設方向および高さの関係が異なる以外は実施例１と同様である。
【００４１】
まず、載設方向に関しては、接近して載設されるＬＥＤチップ５とＬＥＤチップ１〜ＬＥＤチップ４の夫々とが出射する光を互いに吸収して光取り出し効率を低下させる吸収損を軽減するために両者の間隔を数百μｍ程度確保することが重要であるが、図５に示すようにＬＥＤチップ５の側面１０に対してＬＥＤチップ１〜ＬＥＤチップ４の側辺（稜）１１が対向するように載設することによっても吸収損を軽減することができる。
【００４２】
ＬＥＤチップの高さに関しては、図６に示すように、中央部に載設されるＬＥＤチップ５の載設面１２を高くし、ＬＥＤチップ５に近接して配置されたＬＥＤチップ１〜ＬＥＤチップ４よりもＬＥＤチップ５の高さを高くし、ＬＥＤチップ５の活性層の位置が他のＬＥＤチップ１〜ＬＥＤチップ４の高さよりも高くすることによって吸収損を軽減している。つまり、上記ＬＥＤチップの載設方向と高さの相乗効果によって吸収損を大幅に低減し、ＬＥＤチップから出射された光のうち照明装置の出射光として寄与しない光の割合を極力少なくして、光取り出し効率を高めて明るいＬＥＤ照明装置を実現するものである。
【００４３】
ＬＥＤチップ１〜ＬＥＤチップ５の載設範囲は、図７に示すように直径約８ｍｍの円内に収まるように設定されている。これは、照明装置を５０ｃｍ離れた距離から観視したときに、５つのＬＥＤチップの夫々から出射される光が互いに重畳視し合って明るさを強め合う範囲の限界視覚１°に対応するように設定されたものである。
【００４４】
なお、上記実施例１及び実施例２においては、ＬＥＤチップ及びボンディングワイヤを覆うように蛍光体を塗布し、更にその上に透光性樹脂を充填していたが、ＬＥＤチップ及びボンディングワイヤを透光性樹脂で樹脂封止することも可能である。その場合、透光性樹脂の上に蛍光体を塗布することもできるし、蛍光体を塗布しないことも可能である。
【００４５】
以上説明したように、商用電源で直接点灯することができる本発明のＬＥＤ照明装置は、５つのＬＥＤチップをブリッヂ結線回路で電気的に接続すると共に、全波整流電流が流れるＬＥＤチップ５を挟んで半波整流電流が流れる他の４つのＬＥＤチップを略十字状に対向する位置に、且つ略直角方向に載設されたＬＥＤチップ同士に１８０°（半周期）位相がずれた半波整流電流が流れるように載設している。更に、５つのＬＥＤチップの載設範囲を限定し、ＬＥＤチップを蛍光体で封止するようにしている。
【００４６】
そのため、内部に整流手段を有しないにも係わらず商用電源で直接点灯することが可能であり、点灯時の商用周波数による点灯ちらつき感を軽減できると共に、面輝度分布変動感も低減でき、照明品位、商品性に優れたＬＥＤ照明装置の提供を可能にするものである。
【図面の簡単な説明】
【００４７】
【図１】本発明のＬＥＤ照明装置に係わる実施例１の平面図である。
【図２】図１のＡ−Ａ断面図である。
【図３】本発明のＬＥＤ照明装置に係わる実施例１の回路図である。
【図４】本発明のＬＥＤ照明装置に係わる実施例１の電流波形図である。
【図５】本発明のＬＥＤ照明装置に係わる実施例２の平面図である。
【図６】図５のＡ−Ａ断面図である。
【図７】本発明の半導体発光装置に係わるＬＥＤチップの配置図である。
【図８】従来のＬＥＤ照明装置に係わる回路図である。
【図９】従来の他のＬＥＤ照明装置に係わる回路図である。
【図１０】従来の他のＬＥＤ照明装置に係わる回路図である。
【符号の説明】
【００４８】
１    ＬＥＤ照明装置
２    パッケージ
３    内底面
４    側壁
５ａ、５ｂ    リード
６ａ、６ｂ、６ｃ、６ｄ    導体パターン
７    ボンディングワイヤ
８    蛍光体
９    透光性樹脂
１０    側面
１１    側辺（稜）
１２    載設面
【図１】
2007123609.tif 000003
【図２】
2007123609.tif 000004
【図３】
2007123609.tif 000005
【図４】
2007123609.tif 000006
【図５】
2007123609.tif 000007
【図６】
2007123609.tif 000008
【図７】
2007123609.tif 000009
【図８】
2007123609.tif 000010
【図９】
2007123609.tif 000011
【図１０】
2007123609.tif 000012